(57)【特許請求の範囲】
【請求項１】
筺体に取り付けることが可能な支持部材と、
前記支持部材に取り付けられると共に、締結部材によって筐体の内面に固定可能であり、筐体に対して扉を移動させるための扉開閉装置と、を備え、
前記支持部材は、
筐体の上板及び側壁のいずれか一方、又は筐体の底板及び側壁のいずれか一方の前面に位置決め可能な第一の位置決め部と、
筐体の上板及び側壁の他方、又は筐体の底板及び側壁の他方に突き当て可能な第二の位置決め部と、を有する支持部材付き扉開閉装置。
【請求項２】
前記支持部材は、板状の本体部と、前記扉開閉装置に係合する係合部と、を備え、
前記第一の位置決め部及び前記第二の位置決め部は、前記板状の本体部に設けられることを特徴とする請求項１に記載の支持部材付き扉開閉装置。
【請求項３】
前記支持部材の前記係合部は、一方向に伸びる係合部を有し、
前記扉開閉装置は、前記支持部材の係合部に嵌められると共に前記一方向に伸びる被係合部を有し、
前記扉開閉装置を前記支持部材に対して前記一方向にスライドさせることによって、前記扉開閉装置を前記支持部材に取り付けることを特徴とする請求項２に記載の支持部材付き扉開閉装置。
【請求項４】
前記支持部材に対して前記扉開閉装置を前記一方向に位置決めできるように、前記係合部及び前記被係合部のいずれか一方には位置決め用凸部が設けられると共に、前記係合部及び前記被係合部の他方には前記位置決め用凸部に嵌まる位置決め用凹部が設けられることを特徴とする請求項３に記載の支持部材付き扉開閉装置。
【請求項５】
前記支持部材は、締結部材によって筐体の上板の下面、又は筐体の底板の上面に固定可能であり、
前記扉開閉装置は、締結部材によって筐体の側壁の内面に固定可能であることを特徴とする請求項１ないし４のいずれかに記載の支持部材付き扉開閉装置。
【請求項６】
筐体に対して扉を移動させるための扉開閉装置が取り付けられる扉開閉装置用の支持部材であって、
前記支持部材は、筺体に取り付けることが可能であると共に、筐体の上板及び側壁のいずれか一方、又は筐体の底板及び側壁のいずれか一方の前面に位置決め可能な第一の位置決め部と、筐体の上板及び側壁の他方、又は筐体の底板及び側壁の他方に突き当て可能な第二の位置決め部と、を有し、
前記扉開閉装置は締結部材によって筐体に固定可能である扉開閉装置用の支持部材。
【発明の詳細な説明】
【技術分野】
【０００１】
本発明は、筐体に対して扉を移動させる扉開閉装置に関する。
【背景技術】
【０００２】
筐体に対する扉の開閉動作を容易にするために、筐体の側壁の内面に扉開閉装置を取り付け、扉開閉装置によって扉を移動させる棚が知られている（特許文献１、特許文献２参照）。扉開閉装置は筐体と扉との間に二本のリンクを備え、扉開閉時の扉の姿勢を決定する。
【先行技術文献】
【特許文献】
【０００３】
【特許文献１】特開２００８−５３８９３８号公報
【特許文献２】特開２００４−３３９９０６号公報
【発明の概要】
【発明が解決しようとする課題】
【０００４】
筐体の側壁への扉開閉装置の取り付け位置がずれると、閉めたときの扉が筐体に対して位置ずれを起こしたり、傾いたりする。これを避けるためには、扉開閉装置を筐体の正規の位置に取り付けなければならない。物差しを用いて扉開閉装置の位置を測定しながら扉開閉装置を筐体の側壁に固定したり、又は扉開閉装置に位置決め部を設け、位置決め部を利用して扉開閉装置を筐体の側壁に固定したりすれば、扉開閉装置を筐体の正規の位置に取り付けることができる。
【０００５】
しかし、扉開閉装置の位置を測定しながらの取付け作業には手間がかかる。扉開閉装置に位置決め部を設けると、位置決めの作業を簡単にすることができる。しかし、木ねじ等の締結部材によって扉開閉装置を筐体に取り付ける間、扉開閉装置が位置ずれしないように押さえ続けなければならず、その間に扉開閉装置が位置ずれを起こすおそれがある。
【０００６】
そこで、本発明は扉開閉装置を筐体の正規の位置に位置決めでき、また、筐体への扉開閉装置の取付け作業も容易な支持部材付き扉開閉装置及び扉開閉装置用の支持部材を提供することを目的とする。
【課題を解決するための手段】
【０００７】
上記課題を解決するために、本発明の一態様は、筺体に取り付けることが可能な支持部材と、前記支持部材に取り付けられると共に、締結部材によって筐体の内面に固定可能であり、筐体に対して扉を移動させるための扉開閉装置と、を備え、前記支持部材は、筐体の上板及び側壁のいずれか一方、又は筐体の底板及び側壁のいずれか一方の前面に位置決め可能な第一の位置決め部と、筐体の上板及び側壁の他方、又は筐体の底板及び側壁の他方に突き当て可能な第二の位置決め部と、を有する支持部材付き扉開閉装置である。
【０００８】
本発明の他の態様は、筐体に対して扉を移動させるための扉開閉装置が取り付けられる扉開閉装置用の支持部材であって、前記支持部材は、筺体に取り付けることが可能であると共に、筐体の上板及び側壁のいずれか一方、又は筐体の底板及び側壁のいずれか一方の前面に位置決め可能な第一の位置決め部と、筐体の上板及び側壁の他方、又は筐体の底板及び側壁の他方に突き当て可能な第二の位置決め部と、を有し、前記扉開閉装置は締結部材によって筐体に固定可能である扉開閉装置用の支持部材である。
【発明の効果】
【０００９】
本発明によれば、支持部材を筐体の正規の位置決めできるので、支持部材に取り付けられる扉開閉装置も筐体の正規の位置に位置決めできる。また、扉開閉装置を支持部材を介して筐体に取り付けるので、筐体への扉開閉装置の取付け作業も容易になる。
【図面の簡単な説明】
【００１０】
【図１】本発明の第一の実施形態の支持部材付き扉開閉装置が取り付けられた棚の斜視図（図１（ａ）は扉２が開いた状態を示し、図１（ｂ）は扉２が閉じた状態を示す）
【図２】支持部材付き扉開閉装置の取付け方法を示す工程図（図２（ａ）は連結ロッドで連結された一対の扉開閉装置を支持部材に取り付ける工程を示し、図２（ｂ）は図２（ａ）のII部詳細図を示す）
【図３】支持部材付き扉開閉装置の取付け方法を示す工程図（一対の扉開閉装置を筐体の側壁に固定する工程を示す）
【図４】筐体に取り付けられた支持部材の斜視図（図４（ａ）は全体図を示し、図４（ｂ）は図４（ａ）のIV部詳細図を示す）
【図５】支持部材の詳細図（図５（ａ）は斜視図を示し、図５（ｂ）は正面図を示し、図５（ｃ）は側面図を示す）
【図６】支持部材の他の例の詳細図（図６（ａ）は斜視図を示し、図６（ｂ）は正面図を示し、図６（ｃ）は側面図を示す）
【図７】扉開閉装置４の被係合部２１を示す斜視図（図７（ａ）は図７（ｂ）のVII部詳細図を示し、図７（ｂ）は全体図を示す）
【図８】支持部材の係合部に扉開閉装置の被係合部を嵌めた状態を示す断面図（筐体の奥行方向と直交する断面図）
【図９】支持部材の係合部に扉開閉装置の被係合部を嵌めるときの断面図（筐体の奥行方向に沿った断面図であり、図９（ａ）はスライド中の段階を示し、図９（ｂ）はスライド後の段階を示す）
【図１０】扉開閉装置４の内部構造図
【図１１】連結ロッド及び一対の扉開閉装置の分解斜視図（図１１（ａ）は全体図を示し、図１１（ｂ）は図１１（ａ）のXI部詳細図を示す）
【図１２】連結ロッド、継手、回転軸の嵌め合いを示す断面図（図１２（ａ）は回転軸の軸線に沿った断面図を示し、図１２（ｂ）は図１２（ａ）のｂ−ｂ線断面図を示し、図１２（ｃ）は図１２（ａ）のｃ−ｃ線断面図を示す）
【図１３】本発明の第二の実施形態の支持部材付き扉開閉装置が取り付けられた棚の斜視図（図１３（ａ）は扉２が開いた状態を示し、図１３（ｂ）は扉２が閉じた状態を示す）
【発明を実施するための形態】
【００１１】
以下、添付図面に基づいて本発明の第一の実施形態の支持部材付き扉開閉装置を詳細に説明する。支持部材付き扉開閉装置は食器棚等の家具の筐体１に取り付けられ、筐体１に対して扉が開閉できるようにする。筐体１の前面は開口しており、この開口が図中二点鎖線で示される扉２で開閉される。図１（ａ）は扉２が開いた状態を示し、図１（ｂ）は扉２が閉じた状態を示す。
【００１２】
扉２には図示しない取手が備えられており、人手で扉２を上方向に移動させると扉２が開き、下方向に移動させると扉２が閉じる。重い扉２を小さな力で開くことができるように、扉開閉装置４には扉２を開くときの動作をアシストする力を発生させるばねが組み込まれている。また、扉２が閉じたり開いたりするときの衝撃を緩和するために、扉開閉装置４には扉２の開閉動作を制動するダンパが設けられる。扉２の開閉時、扉２は筐体１に対して略平行な姿勢を保ったまま上下方向に移動する。扉２の平行運動を実現するために、扉開閉装置４には互いに略平行でかつリンク長さが略等しい二本のリンク（補助アーム６及びアーム７）が設けられる。扉開閉装置４の詳細な構造については後述する。
【００１３】
筐体１は箱形状に形成され、上板１ａ、左右一対の側壁１ｂ、底板１ｃ、及び裏板１ｄを備える。左右一対の側壁１ｂの内面には左右一対の扉開閉装置４が取り付けられる。扉開閉装置４の動作を同期化させるために一対の扉開閉装置４は連結部材としての連結ロッド５によって連結される。
【００１４】
図２に示すように、一対の扉開閉装置４を筐体１の一対の側壁１ｂに取り付ける際、一対の扉開閉装置４を連結ロッド５によって連結した後、連結された状態の一対の扉開閉装置４を筐体１に取り付ける。上板１ａのコーナ部には左右一対の支持部材８が取り付けられる。支持部材８には、木ねじ等の締結部材１５（図４参照）が通される通し孔１１が形成される。支持部材８は締結部材１５によって上板１ａの下面に固定される。支持部材８には逆Ｔ字状断面の係合部１２が形成される。扉開閉装置４には、係合部１２に嵌まる溝状の被係合部２１が形成される（図６参照）。支持部材８の詳細な構造については後述する。
【００１５】
一対の扉開閉装置４を筐体１に取り付ける工程は以下のとおりである。まず、作業者が筐体１の上板１ａの下面に左右一対の支持部材８を木ねじ等の締結部材を用いて固定する。このとき、作業者は支持部材８の前面側が上板１ａの前面と面一になるように（同一平面内に配置されるように）、かつ支持部材８の側面側が側壁１ｂに突き当たるように支持部材８を位置決めする。次に、作業者はあらかじめ連結ロッド５によって連結された状態の一対の扉開閉装置４を両手で持ち、支持部材８の係合部１２に扉開閉装置４の被係合部２１を嵌め、扉開閉装置４を一方向（筐体１の奥行方向）にスライドさせる。これにより、一対の扉開閉装置４が一対の支持部材８に取り付けられる。扉開閉装置４を支持部材８に取り付けたとき、扉開閉装置４は筐体１の正規の位置に位置決めされる。その後、図３に示すように、作業者は木ねじ等の締結部材１３によって扉開閉装置４を筐体１の側壁１ｂの内面に固定する。扉開閉装置４には例えば二つの締結部材１３を通す通し孔２２が空けられる。側壁１ｂに固定した後、扉開閉装置４は化粧カバーによって覆われる。
【００１６】
本実施形態によれば、締結部材１３によって扉開閉装置４を筐体１の側壁１ｂに固定するとき、扉開閉装置４が支持部材８によって支持されているので、作業者が手を離しても一対の扉開閉装置４が落ちることがない。このため、扉開閉装置４のねじ止め作業が可能になる。これに対して、扉開閉装置４を支持部材８を介することなく直接筐体１に取り付けると、扉開閉装置４を筐体１の側壁にねじ止めしている間、作業者は扉開閉装置４を押さえ続けなければならない。このため、ねじ止め作業が困難になる。
【００１７】
支持部材８の構造は以下のとおりである。図４に示すように、筐体１の上板１ａのコーナ部には左右一対の支持部材８が取り付けられる。支持部材８は、板状の本体部１０と、本体部１０から下方に突出する係合部１２と、を備える。支持部材８には図４中上下方向に貫通する通し孔１１が空けられていて、木ねじ等の締結部材１５によって上板１ａの下面に固定される。
【００１８】
本体部１０は四角形の板状に形成される。この本体部１０は筐体１に対して支持部材８を位置決めする機能を持つ。具体的には、本体部１０の正面側の一辺（第一の位置決め部）１０ａは、筐体１の上板１ａの前面と同一の平面内に位置決めされる。この一辺１０ａを筐体１の上板１ａの前面と同一平面内に位置決めすることで、支持部材８が筐体１の奥行方向に位置決めされる。また、本体部１０の側面側の一辺（第二の位置決め部）１０ｂは支持部材８が側壁１ｂと平行になるように側壁１ｂに突き当てられる。本体部１０の正面側の一辺１０ａと側面側の一辺１０ｂとのなす直角は直角である。本体部１０の側面側の一辺１０ｂを筐体１の側壁１ｂに突き当てることで、支持部材８が筐体１の間口方向に位置決めされる。もちろん、本体部１０を上板１ａの下面に取り付けることで、支持部材８が筐体１の上下方向に位置決めされる。
【００１９】
なお、本体部１０の正面側の一辺１０ａ及び側面側の一辺１０ｂは、筐体１に対して支持部材８を位置決めすることができれば直線的に形成されなくてもよい。例えば本体部１０の正面側の一辺１０ａに窪みを形成してもよいし、正面側の一辺１０ａが突出するように形成してもよい。また、本体部１０の側面側の一辺１０ｂに二点又は二点以上の突出部を設け、突出部が側壁１ｂに突き当てられるようにしてもよい。二点又は二点以上の突出部を設ければ、支持部材８を側壁１ｂと平行に位置決めできる。
【００２０】
図５は支持部材８の詳細図を示す。支持部材８の本体部１０からは逆Ｔ字状断面の係合部１２が下方に向かって突出する。係合部１２は逆Ｔ字状断面を維持しながら一方向に（筐体１の奥行き方向）に伸びる。図５（ａ）の斜視図に示すように、係合部１２の前端部は扉開閉装置４の被係合部２１を嵌め易くするように先端に向かって尖がっている。図５（ｂ）の正面図に示すように、正面側からみたとき、係合部１２には左右方向に張り出す張出し部１２ａが設けられる。張出し部１２ａの上面には、位置決め用凸部１２ａ１が上方向に突出して設けられる。張出し部１２ａの間口方向の寸法は本体部１０の間口方向の寸法よりも小さい。支持部材８は間口方向の中心線を境にして左右対称であり、張出し部１２ａの間口方向（左右方向）の端部から本体部１０の間口方向の端部までの寸法Ｓは間口方向（左右方向）の両端部で等しい。このため筐体１の上板１ａの左右の角に取り付けられる左右一対の支持部材８を左右兼用することができる。図５（ｃ）の側面図に示すように、位置決め用凸部１２ａ１が設けられた張出し部１２ａは弾性で撓むことができるように他の部分に比べて薄肉に形成される。
【００２１】
図６は支持部材８の他の例を示す。この例の支持部材５１はＬ字状に曲げられた本体部５２を有する。係合部１２の構造は図５に示す支持部材と同一なので同一の符号を附してその説明を省略する。図６（ａ）に示すように、Ｌ字状の本体部５２は上方に曲げられた前端部５２ａを有する。この前端部５２ａの背面側５２ａ１が筐体の上板１ａの前面に突き当てられる。前端部５２ａの背面側５２ａ１が筐体の上板１ａの前面と同一平面内に位置することによって、支持部材８が奥行方向に位置決めされる。また、本体部５２の側面側の一辺５２ｂを筐体１の側壁１ｂに突き当てることで、支持部材８が筐体１の間口方向に位置決めされる。
【００２２】
図７は、支持部材８の係合部１２に嵌まる扉開閉装置４の被係合部２１を示す。扉開閉装置４には、支持部材８の係合部１２の断面形状に合わせた逆Ｔ字状断面の溝からなる被係合部２１が形成される。被係合部２１の溝は逆Ｔ字状断面を維持しながら一方向（筐体１の奥行き方向）に伸びる。被係合部２１を定義する上壁２２の下面には、位置決め用凹部２２ａが形成される。
【００２３】
図８は支持部材８の係合部１２に扉開閉装置４の被係合部２１を嵌めた状態を示す。図８は筐体１の奥行方向と直交する断面を示す。図８に示すように、支持部材８の逆Ｔ字状断面の係合部１２と扉開閉装置４の逆Ｔ字状断面の溝からなる被係合部２１は互いに嵌まり合うように断面形状が略一致する。支持部材８の係合部１２に扉開閉装置４の被係合部２１を嵌めると、扉開閉装置４が支持部材８に対して筐体１の間口方向及び上下方向に位置決めされる。支持部材８の係合部１２に扉開閉装置４の被係合部２１を嵌めた後、扉開閉装置４を筐体１の奥行方向にスライドさせることによって、扉開閉装置４を支持部材８に取り付けることができる。このため、支持部材８への扉開閉装置４の取り付け作業が容易になる。
【００２４】
図９は支持部材８の係合部１２及び扉開閉装置４の被係合部２１の筐体１の奥行方向に沿った断面図を示す。図９（ａ）は扉開閉装置４のスライドし始めの状態を示し、図９（ｂ）は扉開閉装置４がスライドし終えた状態を示す。図９（ａ）に示すように、支持部材８の張出し部１２ａの上面には位置決め用凸部１２ａ１が形成される。位置決め用凸部１２ａ１が設けられた張出し部１２ａは一部薄肉に形成される。支持部材８の位置決め用凸部１２ａ１を扉開閉装置４の被係合部２１内に挿入するとき、薄肉の部分が上下方向に撓む。これにより、支持部材８の張出し部１２ａを扉開閉装置４の被係合部２１内に挿入することが可能になる。
【００２５】
図９（ｂ）に示すように、支持部材８に対して扉開閉装置４をスライドし終えたとき、支持部材８の位置決め用凸部１２ａ１が弾性復帰して扉開閉装置４の位置決め用凹部２２ａに嵌まり、支持部材８に対して扉開閉装置４が筐体１の奥行方向に位置決めされる。位置決めと共に、支持部材８から扉開閉装置４が抜け出るのが防止される。支持部材８の本体部１０によって支持部材８は筐体１に対して間口方向及び奥行方向に位置決めされている。また支持部材８に対して扉開閉装置４を筐体１の奥行方向に位置決めすることで、扉開閉装置４を筐体１に対して正規な位置に位置決めすることができる。
【００２６】
図１０は扉開閉装置４の内部構造図を示す。扉開閉装置４は、筐体１に取り付けられる本体部３１、本体部３１に回転可能に取り付けられる平行な二本のリンク（アーム７及び補助アーム６）、扉２に取り付けられる接続具３２を基本的な構成要素とする。アーム７及び補助アーム６はその長さ方向の一端部が本体部３１に回転可能に取り付けられ、その長さ方向の他端部が接続具３２に回転可能に取り付けられる。本体部３１、アーム７、補助アーム６及び接続具３２によって平行運動機構が構成され、扉２が筐体１に対して略平行な姿勢を保ったまま移動する。もちろん、開閉時の扉２の姿勢を安定させることができれば、扉２は平行を保って動くのに限られることはない。
【００２７】
アーム７にはリンクアーム３３を介して走行体３４が接続される。アーム７の回転に伴って走行体３４は図１０の左右方向に直線運動する。走行体３４はコイルばね３５によって一方向に付勢されている。閉じた状態の扉２を開くとき、リンクアーム３３が思案点を超えると、コイルばね３５は扉２に開き方向の付勢力を与える。また開いた状態の扉２を閉じるとき、リンクアーム３３が思案点を超えると、コイルばね３５は扉２に閉じ方向の付勢力を与える。これにより、扉２の開閉動作をアシストする。
【００２８】
走行体３４の上部には、扉２が開くときの衝撃を緩和するダンパ３６が設けられる。ダンパ３６には流体の粘性を利用したリニアダンパを使用してもよいし、摩擦を利用した摩擦ダンパを用いてもよい。走行体３４の下部には、扉２が閉じるときの衝撃を緩和するためのダンパ３７が設けられる。ダンパ３７にはリニアダンパを使用してもよいし、摩擦ダンパを使用してもよい。
【００２９】
接続具３２には、扉２に取り付けられる扉側取付具３８が着脱可能に取り付けられる。扉側取付具３８には図示しないコイルばねによって付勢されるレバー３９が組み込まれる。レバー３９は扉側取付具３８に対して上下方向移動可能に構成される。接続具３２に扉側取付具３８を着脱するとき、ワンタッチでの扉２の取付けが可能なようにレバー３９が自動的に上下動する。
【００３０】
図１１は連結ロッド５及び一対の扉開閉装置４の分解斜視図を示す。扉開閉装置４の補助アーム６の回転軸４１は本体部３１から突出している。この回転軸４１は補助アーム６の回転と一緒に回転する。回転軸４１の先端部４１ａは断面四角形に形成される。連結ロッド５と回転軸４１との間には継手４２が介在する。継手４２は円筒状の本体部４２ａと、本体部４２ａから連結ロッド５に向かって突出する例えば四つの突起４２ｂを備える。本体部４２ａには四角形の孔４２ａ１が形成される（図１２（ｂ）参照）。本体部４２ａは回転軸４１の先端部４１ａに嵌まり、回転軸４１と一緒に回転する。本体部４２ａには止めねじ４４が螺合するねじ孔４２ａ２が形成される。図１２（ａ）に示すように、継手４２の本体部４２ａに回転軸４１を嵌め、止めねじ４４を回転軸４１に突き当たるまで締めることで、継手４２が回転軸４１に回転不能に結合される。
【００３１】
連結ロッド５の軸線方向の端部には、継手４２の四つの突起４２ｂが嵌められる四つの凹部５ａが設けられる（図１２（ｃ）参照）。継手４２の突起４２ｂを連結ロッド５の凹部５ａに嵌めることによって連結ロッド５が継手４２と一緒に回転する。継手４２は連結ロッド５の両端部に設けられていて、連結ロッド５が継手４２から抜けるのを防止する。連結ロッド５の軸線方向の長さは、筐体１の一対の側壁１ｂ間の距離及び扉開閉装置４の間口方向の寸法に合わせて決定される。なお、この実施形態の連結ロッド５は扉開閉装置４を筐体１に取り付けた後では着脱できないようになっている。もちろん、扉開閉装置４を筐体１に取り付けた後に連結ロッド５を着脱できるようにしてもよい。
【００３２】
図１３は、本発明の第二の実施形態の支持部材付き扉開閉装置の斜視図を示す。図１３（ａ）は扉２が開いた状態を示し、図１３（ｂ）は扉２が閉じた状態を示す。第二の実施形態の支持部材付き扉開閉装置は、左右一対の扉開閉装置が連結ロッドで連結されていない点が第一の実施形態の支持部材付き扉開閉装置と異なる。筐体１に支持部材８が取り付けられ、支持部材８に扉開閉装置４が取り付けられる等のその他の点は第一の実施形態と同一なので同一の符号を附してその説明を省略する。筐体１の間口が狭い場合は、左右一対の扉開閉装置４の間に連結ロッドを設けなくてもよい。
【００３３】
なお、本発明は上記実施形態に限られることはなく、本発明の要旨を変更しない範囲で様々に変更可能である。例えば、支持部材は筐体の上板に取り付けられるのに限られることはなく、筐体の側板に取り付けられてもよい。また、支持部材を筐体の底板の角に取り付け、底板及び側壁に位置決めするようにしてもよい。さらに、扉開閉装置を上下方向にスライドさせることによって支持部材に取り付けてもよい。さらに、支持部材をフック状に形成し、扉開閉装置を引っ掛けるようにして支持部材に取り付けてもよい。
【００３４】
木ねじ等の締結部材によって扉開閉装置を筐体の側壁に取り付ける工程を省略することも可能である。扉が軽い場合や間口が狭い場合など、支持部材のみで戸扉開閉装置を支持させてもよい。
【００３５】
扉開閉装置の構造は扉の姿勢を一定にできれば上記実施形態のものに限られることはない。例えば筐体に回転可能に取り付けられる一本のリンク、一本のリンクに対してスライドするスライダ、スライダに回転可能に取り付けられる扉を備える扉開閉装置（国際公開ＷＯ２０１０/０９７９９６参照）を用いることもできる。
【符号の説明】
【００３６】
１…筐体
１ａ…上板
１ｂ…側壁
２…扉
４…扉開閉装置
８…支持部材
１０…支持部材の本体部
１０ａ…一辺（第一の位置決め部）
１０ｂ …一辺（第二の位置決め部）
１２…支持部材の係合部
１２ａ１…位置決め用凸部
１３…締結部材
１５…締結部材
２１…扉開閉装置の被係合部
２２ａ…位置決め用凹部
【図１】
0005415490.tif 000002
【図２】
0005415490.tif 000003
【図３】
0005415490.tif 000004
【図４】
0005415490.tif 000005
【図５】
0005415490.tif 000006
【図６】
0005415490.tif 000007
【図７】
0005415490.tif 000008
【図８】
0005415490.tif 000009
【図９】
0005415490.tif 000010
【図１０】
0005415490.tif 000011
【図１１】
0005415490.tif 000012
【図１２】
0005415490.tif 000013
【図１３】
0005415490.tif 000014